(57)【要約】【課題】新たな機種への切り換え時の作業性を向上する。【解決手段】本体基部３に、保持枠２８を保持するための保持受け部材３５を設ける。保持受け部材３５は保持枠２８を本体基部３に組付け固定する第１位置と、保持枠２８を着脱する第２位置との間で回動させる。保持枠２８の組付け時には、第２位置にある保持受け部材３５に保持枠２８の嵌合部２９を挿入し、保持枠２８の上部を、本体基部３側に押し込む。保持受け部材３５が第１位置まで回動すると、保持枠２８が本体基部３の組付け空間部３ａに収納される。その後、開閉扉６を開け、保持枠２８の上方にある操作つまみを９０度回転させ、保持枠２８を本体基部３に組み付け固定する。【選択図】        図７
2004337238.tif 000002
【特許請求の範囲】
【請求項１】
遊技領域が設けられた遊技盤を保持する保持部材と、前記保持部材が組み付けられる本体基部と、前記保持部材を支持する保持受け部材とを備え、
前記保持受け部材は前記本体基部に設けられ、前記本体基部に前記保持部材を固定する第１位置と、前記本体基部に対して前記保持部材の着脱を行う第２位置との間で移動可能となることを特徴とする遊技機。
【請求項２】
前記保持受け部材は、前記本体基部に設けられた組付け空間部の下方にて前記保持部材の下部を支持し、且つ前記第１位置と第２位置との間で移動するように設けられることを特徴とする請求項１記載の遊技機。
【請求項３】
前記第１位置にある保持部材を前記本体基部に組付け固定するロック機構を、前記保持部材又は本体基部のいずれか一方に設けたことを特徴とする請求項１又は２記載の遊技機。
【請求項４】
前記保持受け部材、又は本体基部のいずれか一方に、前記保持部材を第１位置に保持する変位可能な係止片を、他方に前記係止片と係合する係合部をそれぞれ設けたことを特徴とする請求項１〜３いずれか記載の遊技機。
【請求項５】
前記保持部材には、前記遊技盤の遊技領域を視認させる窓部を備えた扉部材が組み付けられることを特徴とする請求項１〜４いずれか記載の遊技機。
【請求項６】
前記保持部材には、前記遊技盤に帯電する電気を所定部位へと流動させる導体部材が設けられ、前記保持部材を前記保持受け部材にて支持した際に、前記本体基部に設けられた導体部材と当接し、電気が流動可能な状態にすることを特徴とする請求項１〜５いずれか記載の遊技機。
【発明の詳細な説明】
【０００１】
【発明の属する技術分野】
本発明は、パチンコ店等の遊技場に設置して使用される弾球遊技機等の遊技機に関するものである。
【０００２】
【従来の技術】
遊技場に設置される遊技機としてパチンコ機等の弾球遊技機が挙げられる。例えばパチンコ機は、遊技機を構成する基体となる本体基部に、遊技の際に遊技媒体を流下させる遊技領域を有する遊技盤が配設されており、その遊技領域の前方に、窓部を有する前面扉（扉部材）が設けられている。このようなパチンコ機では遊技場に設置されている状態で、且つ前面扉がロックして閉じられているときには、何人も本体基部の内部に配設された遊技盤や電子機器や制御回路基板（制御回路装置）等には触れることができないようになっている。なお、遊技場の作業者がパチンコ機の内部に触れる必要があるときには、ロックを解除した後に前面扉を開いて作業を行うことになる。
【０００３】
このようなパチンコ機では、新たな遊技機（同機種及び異機種を含む）に切り替える場合、設置されていた古い遊技機から新たな遊技機へと遊技機ごと全て入替える交換が一般的である。しかし、遊技機として構成する部品の中には、複数の遊技機に渉って共通化可能な部品を用いることができるため、交換しないで済む部品まで一括して交換することとなれば、結果的にコストアップ及び廃棄問題からくる環境破壊の原因となる。このため、共通化可能な部品をできるだけ遊技場又はリサイクル工場等にて据え置きにし、新たに変更となる部品を入れ替える交換が現在検討されている。この場合、例えば、交換すべき部品となる液晶パネル（ＬＣＤ）ユニットと制御回路装置などが組み付けられ、且つ球通路部を有する支持部材と遊技盤とを一体的に保持するようにした遊技盤ユニットを交換対象とし、基本動作（遊技媒体の打ち出しや入賞時における払い出し等）を行うこととする制御回路装置及び電子機器（スピーカやランプ等の演出装置など）などの据え置きすべき部品が組み付けられた本体基部を据え置き対象とし、例示した構成からなる遊技盤ユニットを本体基部から着脱自在に交換できるようにすることで、新たな遊技機として設置することができることとなる。
【０００４】
このようなパチンコ機において、前面扉と、遊技盤を保持する保持枠とを本体基部に対して交換できるようにすることが現在検討されている。これにより、新しい遊技機への交換の際に、前面扉も交換することが可能となり、新たな遊技機のイメージを外観から遊技者に与えることが可能となる。
【０００５】
【発明が解決しようとする課題】
新たな遊技機への切り換えを行う場合、古い遊技機の保持枠を本体基部から取り外した後に、新しい遊技機用の保持枠を本体基部に組み付けるを行うことで、新しい遊技機として設置したこととなる。図１４及び図１５に示すように、前面扉９０及び遊技盤ユニット９１が組み付けられた保持枠９２を本体基部９３に組み付け固定する際には、まず本体基部９３に設けられた突起９３ａに保持枠９２の外壁側方に設けられた凹部９２ａを係合させ、上記突起９３ａと凹部９２ａとの係合を支点として保持枠９２を図中Ｘ方向に回動させる。この際、本体基部９３に設けられた回転機能を有する操作つまみ９４が保持枠９２に設けられた開口９２ｂに挿通される。その後、挿通された操作つまみ９４を９０度回転させて、保持枠９２を本体基部９３に組み付ける。しかしながら、保持枠９２には遊技盤ユニット９１及び前面扉９０が組み付いているため重くなり、上記切り換え作業の際の交換作業性が低下するという問題がある。また、操作つまみ９４を９０度回転させロックを解除するときに、保持枠９２が誤って遊技場の床へと落ちやすいという問題もある。
【０００６】
本発明は、作業者への負担を抑制し、容易に新たな遊技機への交換が行えるようにした遊技機を提供することを目的とする。
【０００７】
【課題を解決するための手段】
上記目的を達成するために、本発明の遊技機は、遊技領域が設けられた遊技盤を保持する保持部材と、前記保持部材が組み付けられる本体基部と、前記保持部材を支持する保持受け部材とを備え、前記保持受け部材は前記本体基部に設けられ、前記本体基部に前記保持部材を固定する第１位置と、前記本体基部に対して前記保持部材の着脱を行う第２位置との間で移動可能となるものである。なお、本体基部とは、遊技媒体であるパチンコ球を遊技領域に向けて打ち出す発射装置や、入賞に応じた個数のパチンコ球を払い出す払出し装置等の装置が組み込まれる部品である。
【０００８】
また、前記保持受け部材は、前記本体基部に設けられた組付け空間部の下方にて前記保持部材の下部を支持し、且つ前記第１位置と第２位置との間で移動するように設けられることが好ましい。
【０００９】
また、前記第２位置にある保持部材を前記本体部材に固定するロック機構を、前記保持部材又は本体部材のいずれか一方に設けたことが好ましい。また、前記保持受け部材、又は本体基部のいずれか一方に、前記保持部材を第１位置に保持する変位可能な係止片を、他方に前記係止片と係合する係合部をそれぞれ設けたことが好ましい。
【００１０】
また、前記保持部材には、前記遊技盤の遊技領域を視認させる窓部窓部を備えた扉部材が組み付けられることが好ましい。また、前記保持部材には、前記遊技盤に帯電する電気を所定部位へと流動させる導体部材が設けられ、前記保持部材を前記保持受け部材にて支持した際に、前記本体基部に設けられた導体部材と当接し、電気が流動可能な状態にすることが好ましい。
【００１１】
【発明の実施の形態】
図１及び図２に示すように、パチンコ機２は、基体となる本体基部３に、遊技の際に遊技媒体であるパチンコ球が流下する遊技領域４が設けられた遊技盤２０（図３参照）が配設された構成となっている。遊技盤２０に設けられた遊技領域４の前方には、遊技者に遊技領域４を視認させる開口（窓部）５を有する前面扉６が設けられ、開口５は前面扉６の裏側に設けられたガラス板７によって塞がれている。この前面扉６は、遊技領域４の前方に位置する閉じ位置（図１参照）と、前記遊技領域４を露呈する開き位置（図２参照）との間で回動する。この前面扉６を閉じ位置に回動させると、図示しないロック機構により前面扉６が閉じ位置に保持される。なお、前面扉６が閉じ位置に保持された場合には、遊技者や遊技場の作業者は、ガラス板７を介して遊技領域４や遊技領域４上を流下するパチンコ球を視認する。
【００１２】
遊技領域４には、始動入賞口１１、通常入賞口１２及びアタッカ１３等の入賞口及びアウト口１４が配設されている。なお、これらの構造物は公知であるので説明は省略する。また、遊技領域４の略中央にはセンター役物１６が組み付けられ、そのほぼ中央に図柄表示装置１７の表示部が露呈される。なお、符号１８は内レール、符号１９は外レールであり、内レール１８と外レール１９との間が打ち出されたパチンコ球を遊技領域４へと誘導するための誘導通路となる。
【００１３】
図３に示すように、この遊技領域４が設けられた前面とは反対側となる遊技盤２０の後面には、支持体２１が組み付けられる。この支持体２１には各入賞口又はアウト口１４に入ったパチンコ球を所定の受け部へと誘導するための球通路（図示せず）が遊技盤２０と対向する面に設けられ、その反対側となる面に図柄表示装置１７、主制御回路装置（基板）２２等が組み込まれる。なお、遊技盤２０、支持体２１、上記装置が１つのユニットとして組み付けられた状態を、以下では遊技盤ユニット２５として説明する。
【００１４】
図３又は図４に示すように、保持枠（保持部材）２８には、上記遊技盤ユニット２５が組み付けられる他に、前面扉６が組み付けられている。この保持枠２８は、本体基部３の組付け空間部３ａに組み付け固定される。なお、保持枠２８の上部には開口２８ａが設けられ、本体基部３に形成された組付け空間部３ａの上部に設けられた操作つまみ３０が挿通される。また、保持枠２８の下部には方形状の嵌合部２９が設けられ、本体基部３の組付け空間部３ａの下方に設けられた保持受け部材３５に挿入される。なお、前面扉６は、詳細は図示しないが、片方の端部の上下に回動軸が設けられ、この回動軸を保持枠２８の軸受けとなる開口に挿通させることで、前面扉６が開き位置と閉じ位置との間で回動する。
【００１５】
本体基部３は、パチンコ機２の基体となる部品であるとともに、パチンコ店等の遊技場に据え置きとなる部品である。この本体基部３には、図示はしないが、例えばパチンコ球の払い出しを行う払出し装置や、遊技中の演出を行うスピーカ等の音声装置等のパチンコ機の基本動作を行う装置及び制御回路装置が組み込まれる他に、スピーカやランプ等の演出装置などの部品が組み付けられる。この本体基部３には、パチンコ球の供給や、遊技領域４に設けられた入賞口に入賞した場合に払い出されるパチンコ球を受ける受け皿３２が設けられ、この受け皿３２の下方には、パチンコ球の打ち出し強さを調節する操作ハンドル３３が設けられる。なお、遊技者が受け皿３２にパチンコ球を供給すると、内部に供給された通路によってパチンコ球は発射装置３４へと誘導される。そして、操作ハンドル３３を操作することによって、発射装置３４が作動し、遊技領域４に向けてパチンコ球が打ち出される。なお、本体基部３は、遊技場の配設箇所に固定される枠部材を含む構成としてもよいし、含まない構成としてもよいものとする。
【００１６】
本体基部３の上部には、保持枠２８が組付け固定される組付け空間部３ａが設けられている。この組付け空間部３ａの上部２箇所には、回転自在な操作つまみ３０が設けられている。この操作つまみ３０は、保持枠２８を本体枠３の組付け空間部３ａに組み付ける場合に、保持枠２８の上部に形成された開口２８ａに挿通され、例えば図２中Ｌ方向に９０度回転させることで、開口２８ａの長手方向と操作つまみ３０の長手方向とが直交し（図２参照）、保持枠２８が操作つまみ３０によって取り外すことができなくなる。これにより、保持枠２８が本体基部３に組み付け固定される。これにより、操作つまみ３０はロック機構として機能する。なお、この組付け空間部３ａの下部には、後述する保持受け部材３５が取付板４５を介して組み付けられている。
【００１７】
図５に示すように、保持受け部材３５は、断面が略コの字形状をしており、この保持受け部材３５の上面に形成された空間部３５ａに保持枠２８の嵌合部２９が挿入される。この保持受け部材３５の両側面には、ピン４０及びガイド穴４１が設けられている。ピン４０は本体基部３の組付け空間部３ａの側壁面に組み付けられる取付板４５に形成された開口４６に挿通される。これにより、保持受け部材３５がピン４０を回動軸として回動する。
【００１８】
ガイド穴４１は、円弧状の長穴となっており、取付板４５のガイドピン４７が挿通される。保持受け部材３５が回動すると、取付板４５のガイドピン４７に沿ってガイド穴４１が回動し、ガイド穴４１の一端がガイドピン４７と当接した場合に、保持受け部材３５の回動が停止する。これにより、保持受け部材３５が図中Ａ方向又はＢ方向に所定の角度回動する。なお、保持枠２８を本体基部３に組付け固定される時の保持受け部材３５の位置を第１位置（図３参照）、保持受け部材３５が第１位置から図中Ｂ方向に例えば４５度回動した位置を第２位置（図７参照）とし、第１位置と第２位置との間で保持受け部材３５が回動するものとする。なお、保持受け部材３５が第２位置にある場合には、保持枠２８の着脱が行えるものとする。なお、保持受け部材３５の回動範囲を４５度としたが、これに限定する必要はなく、第２位置における保持枠の着脱が容易であるならば、保持受け部材３５の回動範囲は適宜設定してよいものとする。
【００１９】
図３に示すように、保持受け部材３５が第１位置にある場合には、保持受け部材３５の底面３５ｂが組付け空間部３ａの下側の内面４８と当接する。図７に示すように、保持受け部材３５が第２位置にある場合には、保持受け部材３５の底面３５ｂのうち遊技領域側の端部が、組み付け空間部３ａの下側の内面４８に形成された斜面４９と当接し、保持受け部材３５が４５度傾いた状態で保持される。これにより、斜面４９がストッパとして機能する。なお、ストッパは、上記斜面に限定する必要はなく、例えば、本体基部の内面側壁に回動防止片を設けて、第２位置まで回動する保持受け部材と当接させるようにしてもよい。
【００２０】
次に、このようにして構成されたパチンコ機の作用について説明する。各種入賞口、センター役物１６等が前面に組み付けられた遊技盤４の後面側に、支持体２１を組み付ける。その後、支持体２１に図柄表示装置１７、主制御回路装置２２等を組み付け、遊技盤ユニット２５を完成させる。この遊技盤ユニット２５を回動自在な前面扉６が開き状態となる保持枠２８に組み付け固定し、前面扉６を閉じ位置に回動させる。このように、前面扉６及び遊技盤ユニット２５が組み付けられた保持枠２８を本体基部３に組付け固定する。図７及び図８に示すように、保持枠２８の下部に設けられた嵌合部２９を、第２位置にある保持受け部材３５の空間部３５ａに挿入し（図７中Ｃ方向）、保持枠２８の上部を本体基部３側に押し込む（図８中Ｅ方向）。
【００２１】
保持枠２８の上部を本体基部３側（図８中Ｅ方向）に押し込むと、保持受け部材３５が第２位置から第１位置に向けて回動し、保持枠２８が本体基部３の組付け空間部３ａに収納される（図３参照）。この保持枠２８の組付け空間部３ａへの収納時に、組付け空間部３ａの上部に設けられた操作つまみ３０が保持枠２８に形成された開口２８ａに挿通される。作業者は、前面扉６を開けて操作つまみ３０を図２中Ｌ方向に９０度回転させると、操作つまみ３０と開口２８ａとが係合し、保持枠２８が本体基部３に組付け固定される。これにより、本体基部３の組み付け空間部３ａの下方に回動自在な保持受け部材３５を設けることで、保持枠２８を簡単に本体基部３に組み付けられ、組付け作業時の作業性を向上させることができる。また、保持受け部材３５を本体基部３の組付け空間部３ａの下方に配置することで、前面扉６及び遊技盤ユニット２５が組み付けられた保持枠２８のように重量がある部品を交換する場合、容易に本体基部３への組み付けを行うことができる。なお、詳細は省略するが、遊技盤ユニット２８に組み付けられた主制御回路装置（基板）２２と、本体基部３側に組み付けられた他の制御回路装置（基板）及び各種装置とは、保持枠２８を組み付けた後に、コネクタを有するケーブル等により電気的に接続する。
【００２２】
このようなパチンコ機２がパチンコ店等の遊技場に配設され、新しい遊技機への切り換えを行う際には、まず、前面扉６を開き位置まで回動させた後に、操作つまみ３０を図２中Ｍ方向に９０度回転させて、操作つまみ３０の長手方向と開口２８ａの長手方向を一致させる。これにより、操作つまみ３０と開口２８ａとの係合を解除され、本体基部３の組付け空間部３ａに設けられたコイルバネ５０（図３参照）の付勢によって保持枠２８が図８中Ｆ方向に回動する。
【００２３】
この保持枠２８の回動に合わせて、保持受け部材３５が第１位置から第２位置に向けて回動する。なお、保持受け部材３５が第２位置まで回動すると、ガイドピン４７がガイド穴４１の一端と当接する。また、保持受け部材３５の下面３５ａが、組付け空間部３ａの下部に形成された斜面３ｂと当接する。これにより、保持受け部材３５の回動が第２位置で停止する。このとき、保持枠２８は、保持受け部材３５によって、傾いた状態で支持される。作業者は、保持枠２８を閉じ位置にある前面扉６毎掴んで、本体基部３から取り外す（図７中Ｄ方向）。そして、新しい遊技性を有する遊技盤ユニットが組み付けられた保持枠を、本体基部３に組み付け固定する。これにより、新しい遊技機への切り換え時には、遊技盤、保持枠及び前面扉が交換されるので、前面扉も新しい遊技性を有する遊技盤に合わせたデザインとなり、パチンコ機のイメージを一新して、遊技者に新しい機種のイメージを充分に伝えることができる。
【００２４】
本実施形態では、保持枠の嵌合部が挿入する空間部を保持受け部材を第１位置で仮固定する機構を設けなかったが、保持受け部材を第１位置に仮固定する機構を設けるようにしてもよい。この場合、図９に示すように、仮固定する機構を、係止片５１と、ピン５２とから構成する。この係止片５１は、保持受け部材５３の側面にピン５４を介して組み付けられ、このピン５４を回転軸として回転する。また、係止片５１には、ピン５２と係合する爪部５１ａと、係止片５１とピン５２との係合を解除するための解除レバー５１ｂが設けられている。なお、この係止片５１は、巻きバネ５５の付勢を受けて図９中Ｓ方向に回動し、保持受け部材５３に形成されたストッパ５３ａに当接される。一方、ピン５２は本体基部５６の組付け空間部５６ａの下部に形成された開口５６ｂの側壁面に設けられる。なお、符号５７，５８は巻きバネ５５の端部が当接するピンであり、符号５９は、保持受け部材５３の回動軸となるピンである。
【００２５】
図１０に示すように、例えば保持枠６０の本体基部５６への組付けを行う場合、まず保持枠６０の下部を第２位置にある保持受け部材５３に挿入し、保持枠５７を本体基部５６側（図中Ｔ方向）に回動させる。保持枠６０を回動させると、保持受け部材６０が第２位置から第１位置へと回動する。図１１に示すように、第２位置に向けて保持受け部材５３が回動すると、係止片５１の爪部５１ａが本体基部５６に設けられたピン５２に当接し、係止片５１が巻きバネ５４の付勢に抗して図中Ｕ方向に回転する。さらに保持枠６０を第１位置に向けて回動させると、爪部５１ａがピン５２を乗り越えた後に巻きバネ５５の付勢により係止片５１とピン５２とが係合する（図９参照）。これにより、保持枠６０が第１位置で仮固定される。また、図示はしないが、保持受け部材５３を第１位置へと回動させると、組付け空間部５６ａに設けられた操作つまみが保持枠に設けられた開口に挿通されているので、操作つまみを例えば９０度回転させることによって、操作つまみと開口との係合を行うことで、保持枠６０が本体基部５６に組み付け固定される。
【００２６】
一方、保持枠６０の交換時には、上記操作つまみと開口との係合を解除した後に、係止片５１に形成された操作部５１ｂを図９中Ｖ方向に回動させる。操作部５１ｂを図９中Ｖ方向に回動させると、爪部５１ａとピン５２との係合が解除される。これにより、本体基部５６又は保持枠６０のいずれかに設けられたバネ等により、保持枠６０が第２位置に向けて回動する。そして、第２位置まで保持枠６０を回動させた後に保持枠６０を外し、新しい機種の保持枠を組み付ける。これにより、新しい機種への機種替えを行う作業時の安全性を確保することができる。
【００２７】
また、係止片に設けられた解除レバーを操作することで係止片を回動させ、係止片の爪部とピンとの係合を解除したが、これに限定する必要はなく、解除レバーをピンに設けてもよい。この場合、ピンを係合位置と解除位置との間で移動可能とするとともに、ピンを係合位置に向けて付勢する必要がある。
【００２８】
本実施形態では、保持枠の下部に形成された嵌合部を受け部材に挿入し、交換可能位置から組付け位置まで回動させるようにしたが、これに限定する必要はなく、嵌合部を設けずに保持枠の下部を直接保持受け部材の空間部に挿入するようにしてもよい。
【００２９】
また、本実施形態では、嵌合部の形状を方形状としたが、これに限定する必要はなく、円筒形状や楕円形状から形成してもよい。この場合、保持受け部材に、嵌合部を挿通するための開口を設ければよく、容易に保持受け部材を作成することができる。さらに、図１２及び図１３に示すように、保持枠７０の嵌合部７１を金属等の導体部材から形成してもよい。この場合、保持枠７０の嵌合部７１を保持受け部材７２の開口７２ａに挿通させた後に第２位置から第１位置まで回動させる。保持枠７０を第１位置まで回動させると、本体基部７３に設けられたアース端子７４と当接するので、保持枠７０を組み付けるだけで、容易に遊技盤に帯電する静電気を逃がすことができる。この場合、保持受け部材７２を金属等の導体物質から形成することで、確実に遊技盤からの静電気を逃がすことができる。なお、符号７５は保持受け部材７２の回動軸である。
【００３０】
本実施形態では、保持枠に前面扉及び遊技盤ユニットを組み付けた後に、保持枠を本体基部に組み付けるようにしたが、これに限定する必要はなく、例えば、保持枠を本体基部に組み付けた後に、遊技盤ユニット及び前面扉を組み付けるようにしたり、支持体が組み付けられていない遊技盤を組み付けた保持枠を本体基部に組み付けた後に、前面扉を組み付けるようにしてもよい。
【００３１】
【発明の効果】
以上のように、本発明の遊技機によれば、遊技領域が設けられた遊技盤を保持する保持部材と、前記保持部材が組み付けられる本体基部と、前記保持部材を支持する保持受け部材とを備え、前記保持受け部材は前記本体基部に設けられ、前記本体基部に前記保持部材を固定する第１位置と、前記本体基部に対して前記保持部材の着脱を行う第２位置との間で移動可能となるので、新しい機種への切り換えの際の作業性を向上させることが可能となる。
【００３２】
また、前記保持受け部材は、前記本体基部に設けられた組付け空間部の下方にて前記保持部材の下部を支持し、且つ前記第１位置と第２位置との間で移動するように設けられるので、保持枠等の重量がある部材を組み付ける際の作業性を向上させることができる。
【００３３】
また、前記第１位置にある保持部材を前記本体基部に組付け固定するロック機構を、前記保持部材又は本体基部のいずれか一方に設けたので、機種交換の際の作業工数を減らすことができ、容易に機種替えを行うことができる。
【００３４】
また、前前記保持受け部材、又は本体基部のいずれか一方に、前記保持部材を第１位置に保持する変位可能な係止片を、他方に前記係止片と係合する係合部をそれぞれ設けたので、新しい機種への機種替えにおける作業の安全性を確保することができる。
【００３５】
また、前記保持部材には、前記遊技盤の遊技領域を視認させる窓部窓部を備えた扉部材が組み付けられるから、新しい遊技盤の切り換え時に、前面扉を交換することができるので、新しい機種のイメージを遊技者に与えることができる。
【００３６】
また、前記保持部材には、前記遊技盤に帯電する電気を所定部位へと流動させる導体部材が設けられ、前記保持部材を前記保持受け部材にて支持した際に、前記本体基部に設けられた導体部材と当接し、電気が流動可能な状態にするから、保持部材を本体基部に組み付けるだけで、容易に遊技盤に帯電した電気を逃がすことが可能となる。
【図面の簡単な説明】
【図１】本発明を実施したパチンコ機の外観を示す斜視図である。
【図２】前面扉が開き位置にあるパチンコ機を示す斜視図である。
【図３】パチンコ機の構成の概略を示す断面図である。
【図４】保持枠を本体基部から外した状態を示す斜視図である。
【図５】保持受け部材の近傍の構成を分解して示す斜視図である。
【図６】第２位置にある保持受け部材を示す斜視図である。
【図７】保持枠を本体基部に組み付ける時の、保持受け部材近傍の状態を示す断面図である。
【図８】保持枠の上端及びその近傍を示す断面図である。
【図９】保持受け部材に第１位置で仮固定する機構を設けた場合を示す断面図である。
【図１０】第２位置にある保持受け部材及び保持枠を示す断面図である。
【図１１】保持枠を第１位置に向けて回動させた場合に、係止片の爪部とピンとが当接した場合を示す斜視図である。
【図１２】開口枠扉ユニットの下部に形成された嵌合部をアース端子とした場合に、第２位置にある保持受け部材及び保持枠の近傍を示す断面図である。
【図１３】保持枠を本体基部に組み付けた場合の、嵌合部近傍の状態を示す断面図である。
【図１４】従来の組付方法における保持枠と本体基部とを示す断面図である。
【図１５】従来の組付方法における保持枠と本体基部との組み付け状態を示す断面図である。
【符号の説明】
２  パチンコ機
３，５６，７３  本体基部
３ａ，５６ａ  組付け空間部
４  遊技領域
５  前面扉
２０  遊技盤
２５  遊技盤ユニット
２８，６０  保持枠
２８ａ，４６  開口
２９，７１  嵌合部
３０  操作つまみ
３５，５３  保持受け部材
４０，５２  ピン
４１  ガイド穴
４５  取付板
４７  ガイドピン
５１  係止片
７４  アース端子
【図１】
2004337238.tif 000003
【図２】
2004337238.tif 000004
【図３】
2004337238.tif 000005
【図４】
2004337238.tif 000006
【図５】
2004337238.tif 000007
【図６】
2004337238.tif 000008
【図７】
2004337238.tif 000009
【図８】
2004337238.tif 000010
【図９】
2004337238.tif 000011
【図１０】
2004337238.tif 000012
【図１１】
2004337238.tif 000013
【図１２】
2004337238.tif 000014
【図１３】
2004337238.tif 000015
【図１４】
2004337238.tif 000016
【図１５】
2004337238.tif 000017